(57)【要約】      （修正有）【課題】雑草等の切れ味がよく、小石が飛散しにくく、しかも刃先の欠けが生じにくい刈払用のチップソーの提供。【解決手段】チップソーは、鋸身１４と多数のチップ１６とからなる。鋸身１４は円盤状であり、その周縁に多数の突出部１８を備えている。チップ１６は、突出部１８に固着されている。チップ１６は、典型的には、超硬合金からなる。チップ１６は、ベース２４と刃２６とを備えている。刃２６は、刃先２８と２つの刃面３０とを有している。刃面３０は、刃先２８から延びてベース２４に至っている。刃面３０は、回転方向後方に向かって軸方向外向きに傾斜している。刃２６の厚みは、回転方向後方に向かって徐々に拡大している。刃先２８は、軸方向において刃２６の中心に位置している。刃先角αは、６０°以上１２０°以下である。【選択図】図２
2009065963.tif 000002
【特許請求の範囲】
【請求項１】
円盤状の鋸身と、この鋸身の周縁に固着された多数のチップとを備えており、
このチップが刃を有しており、
この刃が、刃先と、この刃先から延びる一対の刃面とを有しており、
この刃面が回転方向後方に向かって軸方向外向きに傾斜することで、刃の厚みが回転方向後方に向かって徐々に拡大する刈払用のチップソー。
【請求項２】
上記刃先が、軸方向において、刃の中心に位置する請求項１に記載のチップソー。
【発明の詳細な説明】
【技術分野】
【０００１】
本発明は、刈払機（草刈機）に装着されるチップソーに関する。詳細には、本発明は、チップソーのチップ形状の改良に関する。
【背景技術】
【０００２】
雑草の除去に、刈払機が用いられている。この刈払機には、チップソーが装着されている。図５は、従来のチップソー２の一部が示された平面図である。図５における上下方向は、チップソー２の軸方向である。チップソー２は、図５において矢印Ａで示された方向に回転する。このチップソー２は、円盤状の鋸身４と多数のチップ６とを備えている。チップ６は、鋸身４の周縁に固着されている。鋸身４の回転によりチップ６が雑草に衝突し、この雑草が刈られる。このチップソー２にて、笹、細い雑木等が刈られることもある。このようなチップソー２が、アイウッド株式会社発行の「Ｉ  Ｗｏｏｄ  ＣＡＴＡＬＯＧ」の第７−８頁に記載されている。
【０００３】
チップソー２は、木材、金属等の硬質な被削材の切断の目的で開発された。このチップソー２が、雑草の刈払にも転用された。硬質な被削材は、刃先８で切削されつつ、切断される。切削容易の目的で、チップには、０°から１０°程度の横すくい角βが設定されている。
【非特許文献１】アイウッド株式会社発行の「Ｉ  Ｗｏｏｄ  ＣＡＴＡＬＯＧ」
【発明の開示】
【発明が解決しようとする課題】
【０００４】
雑草は、木材及び金属に比べて柔軟である。雑草は、力を受けると倒れる。従って、図５に示されたチップソー２で雑草が刈られた場合、切れ味は十分ではない。雑草は、チップ６の前面１０で押し刈られる。押し刈られた雑草は、この前面１０で飛ばされて散乱する。散乱した雑草の回収は、容易ではない。
【０００５】
地面に存在する小石も、チップ６の前面１０で飛ばされる。小石の飛散は、作業効率を低下させる。飛散した小石との衝突を避けるため、作業者は防具を必要とする。
【０００６】
前面１０に衝突した雑草は軸方向に移動し、刃先８で切られる。刃先８の近傍には、曲げの応力が発生する。チップ６は硬質であるが、脆い。曲げ応力に起因した刃先８の欠けが生じやすい。
【０００７】
本発明の目的は、雑草等の切れ味がよく、小石が飛散しにくく、しかも刃先の欠けが生じにくい刈払用のチップソーの提供にある。
【課題を解決するための手段】
【０００８】
本発明に係るチップソーは、円盤状の鋸身と、この鋸身の周縁に固着された多数のチップとを備える。このチップは、刃を有している。この刃は、刃先と、この刃先から延びる一対の刃面とを有している。この刃面は、回転方向後方に向かって軸方向外向きに傾斜する。この傾斜により、刃の厚みが回転方向後方に向かって徐々に拡大する。
【０００９】
好ましくは、刃先は、軸方向において、刃の中心に位置する。
【発明の効果】
【００１０】
本発明者は、硬質な被削材のためのチップソーを刈払に転用しても十分な効果が発揮されないことを突き止め、鋭意検討の結果、刈払に適したチップの形状を創作するに至った。本発明に係るチップソーにより、雑草、笹、雑木等が優れた切れ味で刈られうる。このチップソーでは、小石の飛散が生じにくい。このチップソーでは、刃先の欠けも生じにくい。
【発明を実施するための最良の形態】
【００１１】
以下、適宜図面が参照されつつ、好ましい実施形態に基づいて本発明が詳細に説明される。
【００１２】
図１は、本発明の一実施形態に係るチップソー１２が示された正面図である。このチップソー１２は、鋸身１４と多数のチップ１６とからなる。鋸身１４は、台金とも称される。鋸身１４は、概して円盤状である。鋸身１４は、その周縁に多数の突出部１８を備えている。突出部１８は、半径方向に突出している。鋸身１４は、その中心に軸孔２０を備えている。この軸孔２０には、刈払機の回転軸が通される。回転軸の回転により、チップソー１２が回転する。鋸身１４は、多数の透孔２２も備えている。この透孔２２により、鋸身１４の振動が減衰されうる。透孔２２は、鋸身１４の軽量にも寄与しうる。鋸身１４は、高炭素鋼、合金工具鋼等の金属材料からなる。
【００１３】
図２（ａ）は、図１のチップソー１２の一部が示された拡大平面図である。図２（ｂ）は、図１のチップソー１２の一部が示された拡大正面図である。図２（ａ）において、上下方向はチップソー１２の軸方向である。図２（ａ）及び（ｂ）において矢印Ａで示されているのは、チップソー１２の回転方向である。図２（ｂ）から明らかなように、チップ１６は、突出部１８の回転方向前寄りに位置している。チップ１６は、突出部１８に固着されている。典型的な固着の手段は、高周波加熱によるろう接である。典型的なろう材は、銀ろうである。
【００１４】
チップ１６は、典型的には、超硬合金からなる。高融点金属の炭化物等の粉末が焼結されることで、チップ１６が得られる。チップ１６は、ベース２４と刃２６とを備えている。ベース２４と刃２６とは、一体的に成形されている。軸方向において、ベース２４の厚みは鋸身１４の厚みよりも若干大きい。
【００１５】
刃２６の平面形状は、三角形である。刃２６は、刃先２８と２つの刃面３０とを有している。刃面３０は、刃先２８から延びてベース２４に至っている。刃面３０は、回転方向後方に向かって軸方向外向きに傾斜している。２つの刃面３０は、互いに逆方向に傾斜している。この傾斜に起因して、刃２６の厚み（軸方向幅）が、回転方向後方に向かって徐々に拡大している。図２（ａ）において、刃２６の形状は上下対称である。換言すれば、刃先２８は、軸方向において刃２６の中心に位置している。このチップ１６の形状は、硬質被削材の切削が想定された従来のチップ６（図５参照）には見られないものである。
【００１６】
このチップソー１２では、刃先２８が鋭利なので、雑草のように柔軟なものが刈られた場合でも、優れた切れ味が得られる。刈られた雑草は、飛散しない。このチップソー１２では、刃先２８が地面から離れた位置で回転するので、小石の飛散も抑制される。この刃先２８では、曲げ応力は生じにくい。刃先２８には圧縮応力が生じるが、超硬金属は圧縮強度に優れるので、刃先２８の欠けが生じにくい。
【００１７】
図２（ａ）において矢印αで示されているのは、刃先角である。刃先角αは、６０°以上１２０°以下が好ましい（degree）。６０°以上の刃先角αを有するチップ１６は、欠けにくい。この観点から、刃先角αは６５°以上がより好ましく、７０°以上が特に好ましい。刃先角αが１２０°以下であるチップ１６により、優れた切れ味が達成されうる。この観点から、刃先角αは１１０°以下がより好ましい。
【００１８】
図３は、本発明の他の実施形態に係るチップソー３２が示された正面図である。図４（ａ）は、図３のチップソー３２の一部が示された拡大平面図である。図４（ｂ）は、図３のチップソー３２の一部が示された拡大正面図である。このチップソー３２は、鋸身３４と多数のチップ３６とからなる。
【００１９】
鋸身３４は、概して円盤状である。鋸身３４は、その周縁に多数の突出部３８を備えている。この突出部３８に、チップ３６が固着されている。鋸身３４は、その中心に軸孔４０を備えている。鋸身３４は、多数の透孔４２も備えている。鋸身３４の材質及び役割は、図１に示された鋸身１４のそれと同等である。
【００２０】
チップ３６の材質は、図１に示されたチップ１６のそれと同等である。図４（ｂ）から明らかなように、チップ３６の正面形状は実質的に「Ｌ」字状である。チップ３６は、ベース４４と刃４６とを備えている。ベース４４及び刃４６は、「Ｌ」字状である。ベース４４と刃４６とは、一体的に成形されている。軸方向において、ベース４４の厚みは鋸身３４の厚みよりも若干大きい。
【００２１】
刃４６の平面形状は、三角形である。刃４６は、刃先４８と２つの刃面５０とを有している。刃面５０は、刃先４８から延びてベース４４に至っている。刃面５０は、回転方向後方に向かって軸方向外向きに傾斜している。２つの刃面５０は、互いに逆方向に傾斜している。この傾斜に起因して、刃４６の厚み（軸方向幅）が、回転方向後方に向かって徐々に拡大している。図４（ａ）において、刃４６の形状は上下対称である。換言すれば、刃先４８は、軸方向において刃４６の中心に位置している。この刃先４８は、鋭利である。この刃先４８により、優れた切れ味が達成される。このチップソー３２では、刈られた雑草の飛散及び小石の飛散が抑制される。この刃先４８は、欠けにくい。
【００２２】
このチップソー３２においても、刃先角αは、６０°以上１２０°以下が好ましい。６０°以上の刃先角αを有するチップ３６は、欠けにくい。この観点から、刃先角αは６５°以上がより好ましく、７０°以上が特に好ましい。刃先角αが１２０°以下であるチップ３６により、優れた切れ味が達成されうる。この観点から、刃先角αは１１０°以下がより好ましい。
【産業上の利用可能性】
【００２３】
本発明に係るチップソーは、種々の刈払機に装着されうる。このチップソーは、雑草、笹、雑木等の刈払に用いられうる。
【図面の簡単な説明】
【００２４】
【図１】図１は、本発明の一実施形態に係るチップソーが示された正面図である。
【図２】図２（ａ）は図１のチップソーの一部が示された拡大平面図であり、図２（ｂ）はその正面図である。
【図３】図３は、本発明の他の実施形態に係るチップソーが示された正面図である。
【図４】図４（ａ）は図３のチップソーの一部が示された拡大平面図であり、図４（ｂ）はその正面図である。
【図５】図５は、従来のチップソーの一部が示された平面図である。
【符号の説明】
【００２５】
１２、３２・・・チップソー
１４、３４・・・鋸身
１６、３６・・・チップ
１８、３８・・・突出部
２４、４４・・・ベース
２６、４６・・・刃
２８、４８・・・刃先
３０、５０・・・刃面
Ａ・・・回転方向
α・・・刃先角
【図１】
2009065963.tif 000003
【図２】
2009065963.tif 000004
【図３】
2009065963.tif 000005
【図４】
2009065963.tif 000006
【図５】
2009065963.tif 000007